(57)【要約】【課題】津波から避難する人を誘導するために有用な照明装置を提供する。【解決手段】照明装置１００は、バルーン１１１により浮揚可能な照明部１１０と、津波に関する津波情報を受信するための受信部１６０と、受信部１６０により津波情報が受信された場合に、照明部１１０を上昇させる制御部１２０とを備える。【選択図】図３
2015176373.tif 000002
【特許請求の範囲】
【請求項１】
照明部と、
津波に関する津波情報を受信するための受信部と、
前記受信部により前記津波情報が受信された場合に、前記照明部を上昇させる制御部とを備える
照明装置。
【請求項２】
前記照明部は、バルーン及び当該バルーンに装着された発光部を有し、
前記制御部が前記照明部を上昇させた状態において、前記バルーンには空気より軽い気体が充填されている
請求項１記載の照明装置。
【請求項３】
前記制御部は、前記受信部により前記津波情報が受信された場合に、前記バルーン内に前記気体を充填することにより、前記上昇のための浮力を得る
請求項２記載の照明装置。
【請求項４】
前記制御部が前記バルーンに充填する前記気体は、ヘリウムガスである
請求項３記載の照明装置。
【請求項５】
前記発光部は、前記バルーンの表面に文字を表すように発光する
請求項２記載の照明装置。
【請求項６】
前記制御部は、津波からの避難に用いられる場所に固定される固定部を有し、
上昇した状態における前記バルーンの移動を一定範囲に制限するためのロープで当該バルーンは前記固定部に係留される
請求項２記載の照明装置。
【請求項７】
前記制御部は、前記バルーンが浮揚する高さを調整するために前記ロープの巻き取り又は解放を行うリールを前記固定部として有する
請求項６記載の照明装置。
【請求項８】
前記照明装置は、前記照明部に電力を供給するための電源部を有し、
前記ロープは、導体を含み、
前記電源部は、前記ロープを介して前記照明部と電気的に接続される
請求項６又は７記載の照明装置。
【請求項９】
前記発光部は、複数のＬＥＤと、ＬＥＤが発する光を拡散するための拡散膜とを有する
請求項２記載の照明装置。
【請求項１０】
前記拡散膜は、白色である
請求項９記載の照明装置。
【請求項１１】
前記照明装置は更に、照度センサを有し、
前記照度センサで測定された照度に応じて、前記発光部は発光を変化させる
請求項２記載の照明装置。
【請求項１２】
前記発光部は、測定された前記照度が所定値以上の場合には発光を抑止する
請求項１１記載の照明装置。
【請求項１３】
前記発光部は、昼間である所定時間帯には発光を抑止する
請求項２記載の照明装置。
【請求項１４】
前記照明装置は更に、天気を検知する検知部を有し、
前記発光部は、前記検知部により検知された天気の種別毎に予め定められた色で発光する
請求項２記載の照明装置。
【請求項１５】
前記受信部は、無線通信により前記津波情報を受信する
請求項１記載の照明装置。
【請求項１６】
前記受信部は、前記津波情報を受信したことを前記制御部に無線通信により伝達する
請求項１記載の照明装置。
【請求項１７】
前記照明部は、無線通信を中継する通信部を有する
請求項１記載の照明装置。
【請求項１８】
前記照明装置は更に、操作を受け付ける操作部を有し、
前記制御部は、前記操作部により操作が受け付けられた場合にも前記照明部を上昇させる
請求項１記載の照明装置。
【請求項１９】
前記制御部は、前記受信部により前記津波情報が受信された場合において所定条件が満たされたときに限って前記照明部を上昇させる
請求項１記載の照明装置。
【発明の詳細な説明】
【技術分野】
【０００１】
本発明は、照明制御技術に関し、特に津波から避難する人の誘導のために照明を制御する照明装置に関する。
【背景技術】
【０００２】
従来、津波の予想到達時刻のカウントダウンを行う照明装置が知られている（特許文献１参照）。また、避難場所への避難指示をする照明装置が知られている（特許文献２参照）。
【先行技術文献】
【特許文献】
【０００３】
【特許文献１】特開２０１３−４１５１６号公報
【特許文献２】登録実用新案第３１７５５１９号公報
【発明の概要】
【発明が解決しようとする課題】
【０００４】
上述の従来の照明装置は、建造物に遮られて照明装置が見えにくい場所に居る場合や昼間には、照明装置が見つけられにくく、津波から避難する人の誘導に必ずしも有用ではない。
【０００５】
そこで、本発明は、地震の発生に伴う津波から避難する人を誘導するために有用な照明装置を提供する。
【課題を解決するための手段】
【０００６】
本発明の一態様に係る照明装置は、照明部と、津波に関する津波情報を受信するための受信部と、前記受信部により前記津波情報が受信された場合に、前記照明部を上昇させる制御部とを備える照明装置である。
【０００７】
また、前記照明部は、バルーン及び当該バルーンに装着された発光部を有し、前記制御部が前記照明部を上昇させた状態において、前記バルーンには空気より軽い気体が充填されていることとしてもよい。
【０００８】
また、前記制御部は、前記受信部により前記津波情報が受信された場合に、前記バルーン内に前記気体を充填することにより、前記上昇のための浮力を得ることとしてもよい。
【０００９】
また、前記制御部が前記バルーンに充填する前記気体は、ヘリウムガスであることとしてもよい。
【００１０】
また、前記発光部は、前記バルーンの表面に文字を表すように発光することとしてもよい。
【００１１】
また、前記制御部は、津波からの避難に用いられる場所に固定される固定部を有し、上昇した状態における前記バルーンの移動を一定範囲に制限するためのロープで当該バルーンは前記固定部に係留されることとしてもよい。
【００１２】
また、前記制御部は、前記バルーンが浮揚する高さを調整するために前記ロープの巻き取り又は解放を行うリールを前記固定部として有することとしてもよい。
【００１３】
また、前記照明装置は、前記照明部に電力を供給するための電源部を有し、前記ロープは、導体を含み、前記電源部は、前記ロープを介して前記照明部と電気的に接続されることとしてもよい。
【００１４】
また、前記発光部は、複数のＬＥＤと、ＬＥＤが発する光を拡散するための拡散膜とを有することとしてもよい。
【００１５】
また、前記拡散膜は、白色であることとしてもよい。
【００１６】
また、前記照明装置は更に、照度センサを有し、前記照度センサで測定された照度に応じて、前記発光部は発光を変化させることとしてもよい。
【００１７】
また、前記発光部は、測定された前記照度が所定値以上の場合には発光を抑止することとしてもよい。
【００１８】
また、前記発光部は、昼間である所定時間帯には発光を抑止することとしてもよい。
【００１９】
また、前記照明装置は更に、天気を検知する検知部を有し、前記発光部は、前記検知部により検知された天気の種別毎に予め定められた色で発光することとしてもよい。
【００２０】
また、前記受信部は、無線通信により前記津波情報を受信することとしてもよい。
【００２１】
また、前記受信部は、前記津波情報を受信したことを前記制御部に無線通信により伝達することとしてもよい。
【００２２】
また、前記照明部は、無線通信を中継する通信部を有することとしてもよい。
【００２３】
また、前記照明装置は更に、操作を受け付ける操作部を有し、前記制御部は、前記操作部により操作が受け付けられた場合にも前記照明部を上昇させることとしてもよい。
【００２４】
また、前記制御部は、前記受信部により前記津波情報が受信された場合において所定条件が満たされたときに限って前記照明部を上昇させることとしてもよい。
【発明の効果】
【００２５】
本発明の照明装置は、津波から避難する人の誘導を可能にする。
【図面の簡単な説明】
【００２６】
【図１】実施形態に係る防災システムの例を示す概略図である。
【図２】津波情報受信前の照明装置の状態を示す概略構成図である。
【図３】津波情報受信後の照明装置の状態を示す概略構成図である。
【図４】照明装置の機能ブロック図である。
【図５】照明装置の動作を示すフローチャートである。
【図６】照明器具の分離状態を示す外観図である。
【図７】照明器具の形状を示す概略図である。
【図８】照明器具の機能ブロック図である。
【図９】照明器具の解錠動作を示すフローチャートである。
【図１０】照明機器の概略図である。
【図１１】照明機器の機能ブロック図である。
【発明を実施するための形態】
【００２７】
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、本発明の最上位概念を示す独立請求項に記載されていない構成要素については、任意に付加可能な構成要素である。また、各図は、模式図であり、必ずしも厳密に図示されたものではない。
【００２８】
以下、本発明の一実施形態に係る照明装置を含む防災システム１について説明する。
【００２９】
図１は、実施形態に係る防災システム１を示す概略図である。
【００３０】
（照明装置）
防災システム１は、災害時の被害を抑えるためのシステムであり、主に、地震の発生後等に生じ得る津波から避難する人を津波避難ビル９１に誘導するために有用な照明装置１００を備える。
【００３１】
津波避難ビル９１は、津波からの避難場所となり得るような比較的高く堅牢なビルであり、壁面に津波避難ビル表示マーク９２を掲げている。照明装置１００は、この津波避難ビル９１への人の避難を支援する。即ち、照明装置１００は、津波避難ビル９１の屋上等に設置され、地震の発生に際して気象庁等から送信される津波情報を受信した場合に、発光し得るバルーン（係留気球）を津波避難ビル９１の上空に浮揚させる機能を有する。津波避難ビル９１が他のビルの影になって見えない場所に居る人も、このバルーンにより避難すべき方向を知ることができるようになる。また、通常時にはバルーンが上空に浮揚していないので、バルーンの浮揚している状態を見て、人は非常事態の発生を知ることができるようになる。
【００３２】
なお、津波情報は、津波の発生が予測された時に気象庁、自治体等における無線通信装置から特定周波数で送信される情報である。津波情報は、例えば津波が到来する予想時刻、津波が到来する範囲、津波の高さ等の情報を示すものであってもよい。
【００３３】
（構成）
図２及び図３は、照明装置１００の概略構成図であり、図２では津波情報の受信前の状態を示し、図３では津波情報の受信後の状態を示している。津波情報の受信前、即ち通常時は、例えば街の景観や日照を損なわないようにする等のため、バルーンは上空に上昇しない状態（バルーンを膨張させずスペースを取らないように収納した状態）にされている。これにより、昼間であってもバルーンを上昇させるだけで、非常状態であることを通知できるようにもなる。
【００３４】
照明装置１００は、図２及び図３に示すように照明部１１０、制御部１２０、受信部１６０及び電源部１５０を備える。
【００３５】
基本的に、地震の発生後等において気象庁等から津波情報が送信され、受信部１６０が津波情報を受信した場合に制御部１２０は、照明部１１０を上昇させる。
【００３６】
地震の発生後等において停電が生じ得るため、電源部１５０は、例えば通常時は外部電力を受けて充電する二次電池等であり、停電して外部電力の供給が絶たれたときにも電源として機能し、各部への電力の供給を担う。なお、電源部１５０は、ソーラーパネル、発電機、一次電池等であってもよい。
【００３７】
照明部１１０は、バルーン１１１に発光部１１２が付加されて構成される。
【００３８】
バルーン１１１は、中に空気より軽い気体（ヘリウムガス等）を充填できる塩化ビニール等の軽量な素材で構成されており、気体を充填した場合に例えば直径３メートル程度の球形の形状となる。このバルーン１１１は、ロープ１２１により制御部１２０内の固定部（リール）１４０に結び付けられている。ロープ１２１は綱、ワイヤ等であって電源部１５０からの電力を発光部１１２に伝達するための導体を含んでいる。このロープ１２１により、上昇した状態のバルーン１１１の移動が一定範囲に制限される。なお、メンテナンスのために、バルーン１１１は、取り外して、交換することができる。
【００３９】
また、発光部１１２は、複数のＬＥＤ（Light Emitting Diode）で構成され、例えばバルーンを囲むように設けられた網に取り付けられ、各ＬＥＤはロープ１２１を介して電力の供給を受けて制御部１２０内の制御装置１８０の制御を受けて発光する。なお、各ＬＥＤをバルーン１１１の内側に貼付し、バルーン１１１には白色の光拡散膜を付着していてもよい。なお、バルーン１１１の内側に伸縮自在のフレームを設置してそのフレームに各ＬＥＤを配置してもよい。また、複数のＬＥＤが点灯制御回路を備え、ロープ１２１を介して制御装置１８０からの指示を受けて特定のパターン（バルーン１１１の表面に文字等を表示するパターン）で発光することとしてもよい。文字は、受信される津波情報に基づく津波に関する内容を示す文字列であってもよいし、各津波避難ビルに予め定めた識別番号等を示すこととしてもよい。また、ＬＥＤは、多色発光可能なものであって、制御装置１８０の指示に応じた色で発光することとしてもよい。白色の光拡散膜により、バルーン１１１をあらゆる色で発光させることが可能となる。
【００４０】
図４は、照明装置１００の機能ブロック図である。同図では照明部１１０を省略している。
【００４１】
制御部１２０は、ガス充填部１３０、固定部（リール）１４０、照度センサ１７０、制御装置１８０及び操作部１８１を備える。
【００４２】
ガス充填部１３０は、制御装置１８０の制御を受けて電磁弁を制御してガスボンベから配管を通してバルーン１１１内にヘリウムガスを充填する装置である。バルーン１１１が萎んだ状態（図２参照）では、配管の先端はバルーン１１１と接合している。そして、電磁弁が開くことによりガスボンベ内の圧縮されたヘリウムガスがその圧力によりガスボンベから配管を通してバルーン１１１へと急速に放出され、バルーン１１１にヘリウムガスが充填され、バルーン１１１は膨張し、空中に上昇するための浮力が発生する。
【００４３】
固定部１４０は、津波避難ビル９１の屋上に例えばアンカーボルト等で固定された電動式のリール（巻き取り機）である。この固定部（リール）１４０は、制御装置１８０の制御を受けてサーボモータを駆動し、バルーン１１１を係留するためのロープ１２１を巻き取ったり、逆に巻き出したり（解放したり）する機能を有する。なお、この固定部１４０は制御装置１８０からバルーン１１１を上昇させる高さの指示を受けて、その高さとなるよう一定量だけロープ１２１を巻き出すことができる。なお、固定部１４０はロープ１２１を巻き取ってバルーン１１１を上昇させる前の位置に戻すこともできる。
【００４４】
照度センサ１７０は、照度（明るさ）を測定して制御装置１８０に伝達するセンサであり、明るさに応じた発光部１１２の発光制御を行うために設けられている。
【００４５】
操作部１８１は、スイッチ、ボタン等の操作部材を含み、人の操作を受け付けて制御装置１８０に通知する機能を有する。
【００４６】
制御装置１８０は、受信部１６０から津波情報を受信した通知を受けた場合に、ガス充填部１３０にバルーン１１１へのヘリウムガスの充填を行わせ、固定部１４０にロープ１２１を解放してバルーン１１１を上昇させるよう指示をする機能を有する。バルーン１１１の上昇の指示は、例えば４０メートル上昇させる指示等である。なお、制御装置１８０は、津波情報の受信の通知を受けた場合において所定条件が満たされたときに限って、バルーン１１１を上昇させるための指示を行うこととしてもよい。この所定条件としては、津波避難ビル９１の所在する地域が津波情報で示される津波が到来する地域範囲内に含まれることや、津波避難ビル９１が閉鎖されていることを示す情報が通知されていないこと等が挙げられる。また、所定条件は、津波の規模に対して津波避難ビル９１が十分な高さを有していることであってもよい。
【００４７】
また、制御装置１８０は、操作部１８１がボタンの押下等といった所定の操作つまり制御部１２０の起動操作を受け付けた場合にその通知を受けて、津波情報が受信された場合と同様の動作をする機能も有する。津波からの避難の訓練を開始する際にこの所定の操作がなされることが想定される。また、制御装置１８０は、照度センサ１７０が測定した照度に応じて、発光部１１２の発光を制御する機能も有する。例えば、夜間は発光させ昼間は発光を抑止するといった目的で、照度が所定値以上の場合に発光を抑止し、照度が所定値未満であれば発光させるよう発光部１１２を制御する。
【００４８】
受信部１６０は、通信回路により実現され、外部から無線送信される津波情報をアンテナ１６１により受信して制御装置１８０に通知する機能を有する。
【００４９】
（動作）
以下、上述の構成を備える照明装置１００の動作について図５を用いて説明する。
【００５０】
図５は、照明装置１００の動作を示すフローチャートである。
【００５１】
照明装置１００の受信部１６０が津波情報を受信した場合（処理ステップＳ１）、又は、操作部１８１が制御部１２０の起動操作としての所定の操作を受け付けた場合（処理ステップＳ２）には、制御装置１８０は、照明部１１０を上昇させる制御を開始する。即ち、制御装置１８０は、まずガス充填部１３０にバルーン１１１へのヘリウムガスの充填を行わせる（処理ステップＳ３）。
【００５２】
そして、固定部（リール）１４０に、ロープ１２１を巻き出し（解放）して照明部１１０（バルーン１１１等）を所定の高さに上昇させる（処理ステップＳ４）。
【００５３】
それから、制御装置１８０は、照度センサ１７０が測定した照度に応じて発光部１１２の発光を制御する（処理ステップＳ５）。この発光の制御は、照度の変化に応じて発光状態が変化するように行われるものであってもよい。
【００５４】
このように、照明装置１００によれば、地震が発生した場合等において津波の到来が予測される場合に迅速に、津波避難ビル９１の上空にバルーン１１１を浮揚させることができる。従って、他のビル影等といった津波避難ビル９１自体が見えない場所にいる人もバルーン１１１を見て避難方向を知ることができるようになる。また、地震により夜間に停電が生じていても、電源部１５０の電力でバルーン１１１が発光部１１２により輝くので、避難方向を見つけやすくなる。
【００５５】
（変形例）
以上、照明装置について説明したが、上述した実施形態は一例にすぎず、各種の変更が可能であることは言うまでもない。
【００５６】
例えば、照明装置１００は、津波避難ビル９１の屋上等に設置されることとしたが、津波から避難する場所（例えば自治体が指定する避難場所）に設置されるのであれば、設置場所はビル以外の場所（例えば高台等）であってもよい。
【００５７】
また、照明装置１００のバルーン１１１には、受信部１６０により津波情報が受信される前から予めヘリウムガスが充填されていることとしてもよい。この場合には、津波情報が受信される前においては固定部１４０がロープ１２１を巻き取ることで、バルーン１１１が上空に上昇しない状態としておくことができる。また、バルーン１１１の形状や球形以外であってもよく、サイズも変更可能である。
【００５８】
また、津波情報が受信された場合にバルーン１１１の浮力により発光部１１２（照明部１１０）を上昇させる代わりに他の機構（例えば伸縮機構等）により発光部１１２を上昇させることとしてもよい。このような上昇等による装置形状の変化により、津波発生の非常事態を人に知らせる効果が高まる。更に、津波情報が受信された場合に、スピーカー等の音声拡散装置により、避難場所を通知するための音声を出力するようにしてもよい。
【００５９】
また、照度センサ１７０の代わりに計時部（時計）を設けて、昼間である所定時間帯においてのみ制御装置１８０は、発光部１１２の発光を抑止するように制御することとしてもよい。また、照度センサ１７０の代わりに、気象情報を受信する等により天気を検知する検知部を設けて、その検知部の検知結果に応じて制御装置１８０は、発光部１１２を天気の種別毎に予め定めた色で発光させることとしてもよい。また、この検知部と照度センサ１７０とを併用してもよく、例えば、発光部１１２を夜間は白色で発光させ、昼間で曇りなら赤色で発光させ、昼間で雨なら緑色で発光させることで、視認され易くしてもよい。また、発光部１１２は、点滅する発光パターンで発光してもよい。
【００６０】
また、制御装置１８０は、風の強さを測定する装置による測定結果を受けて風の強さに応じてバルーン１１１を上昇させる高さを変更することとしてもよい。これにより、例えば風が強い程、バルーン１１１の高さを低く抑えるようにしてもよい。
【００６１】
また、受信部１６０と制御装置１８０との間は有線接続されていても無線接続であることとしてもよい。無線接続にした場合には、受信部１６０を、制御部１２０から離して任意の場所に設置したり移動させたりすることができる。
【００６２】
また、バルーン１１１に無線通信を中継する通信回路を有する通信部を搭載することとしてもよい。特に、通信部は携帯電話の通信で利用される周波数帯に対応して携帯電話の通信を中継するようにしてもよい。これにより、地震の発生により携帯電話の基地局のアンテナ等が倒壊した場合においても、津波避難ビル９１の上空に浮揚したバルーン１１１に搭載された通信部により、携帯電話での通信が可能となる。
【００６３】
また、発光部１１２と共にバルーン１１１にソーラーパネルを付加し、発光部１１２への電力供給を電源部１５０で行う代わりにこのソーラーパネルにより行うこととしてもよい。
【００６４】
また、上述した制御装置１８０の処理手順（津波情報の受信に応じてバルーンを上昇させるため等の各機器類の制御等）の全部又は一部は、機器の回路（ハードウェア）のみにより実行されても、ソフトウェアにより実行されてもよい。なお、ソフトウェアによる処理の実行は、機器に含まれるプロセッサがメモリに記憶された制御プログラムを実行することにより実現されるものである。また、その制御プログラムを記録媒体に記録して頒布や流通させてもよい。例えば、頒布された制御プログラムを機器にインストールして、機器のプロセッサに実行させることで、機器に制御装置１８０の機能を実現させることが可能となる。
【００６５】
その他、上述した実施形態に対して当業者が当然に思いつく各種変形を施して得られる形態、又は、上述の実施形態で示した構成要素及び機能を任意に組み合わせることで実現される形態も本発明の範囲に含まれる。
【００６６】
以下、本発明の一態様に係る照明装置の構成、変形態様及び効果について示す。
【００６７】
本発明の一態様に係る照明装置は、照明部と、津波に関する津波情報を受信するための受信部と、前記受信部により前記津波情報が受信された場合に、前記照明部を上昇させる制御部とを備える照明装置である。この構成により、津波の到来が予測されたときに送信される津波情報の受信を契機として照明部が上昇するので、津波からの避難場所自体が見えにくい場合であっても照明部を見て人は避難すべき方向を知ることができるようになる。また、津波が到来しない通常時においては照明部を上昇させていないことから、通常時には照明部は目立つことはなく、照明部により景観が害されること等が防止されている。また、通常時に上昇させていないことから、上昇したときに非常事態であって避難が必要であることを人が認識し易くなる。
【００６８】
ここで、例えば、前記照明部は、バルーン及び当該バルーンに装着された発光部を有し、前記制御部が前記照明部を上昇させた状態において、前記バルーンには空気より軽い気体が充填されていることとしてもよい。これにより、津波の到来が予測されたときに照明部を空中に上昇させられるので、通常時は建物の影になって避難場所（津波避難ビル等）が見えない場所に居る人にも、避難すべき時においては上空の照明部が見られ、避難場所の方向が認識される可能性が高まる。
【００６９】
また、前記制御部は、前記受信部により前記津波情報が受信された場合に、前記バルーン内に前記気体を充填することにより、前記上昇のための浮力を得ることとしてもよい。これにより、津波が到来しない通常時から予め照明部のバルーン内にヘリウムガス等の気体を充填しておく必要がなくなるので、通常時に膨張したバルーンが邪魔となったり景観を害したりする可能性を低減できる。
【００７０】
また、前記制御部が前記バルーンに充填する前記気体は、ヘリウムガスであることとしてもよい。これにより、不活性なガスであるため燃焼等のおそれがなく照明部を空中に上昇（浮揚）させることができるようになる。
【００７１】
また、前記発光部は、前記バルーンの表面に文字を表すように発光することとしてもよい。これにより、文字を通じて、津波からの避難に有用な情報を提供し得るようになる。
【００７２】
また、前記制御部は、津波からの避難に用いられる場所に固定される固定部を有し、上昇した状態における前記バルーンの移動を一定範囲に制限するためのロープで当該バルーンは前記固定部に係留されることとしてもよい。これにより、避難場所から照明部が離れて移動してしまうことを防止することができる。
【００７３】
また、前記制御部は、前記バルーンが浮揚する高さを調整するために前記ロープの巻き取り又は解放を行うリールを前記固定部として有することとしてもよい。これにより、風の影響等を踏まえてバルーンが適切な高さとなるように調整することができるようになる。
【００７４】
また、前記照明装置は、前記照明部に電力を供給するための電源部を有し、前記ロープは、導体を含み、前記電源部は、前記ロープを介して前記照明部と電気的に接続されることとしてもよい。これにより、照明部内に電源を設ける必要がなくなり、電源の重量により照明部の上昇を阻害することがなくなる。
【００７５】
また、前記発光部は、複数のＬＥＤと、ＬＥＤが発する光を拡散するための拡散膜とを有することとしてもよい。これにより、個々のＬＥＤの存在による輝度むらを抑えバルーン全体が満遍なく発光するようになる。
【００７６】
また、前記拡散膜は、白色であることとしてもよい。これにより、バルーンをいかなる色に発光させた場合も輝度むらが抑えられる。
【００７７】
また、前記照明装置は更に、照度センサを有し、前記照度センサで測定された照度に応じて、前記発光部は発光を変化させることとしてもよい。これにより、周囲の明るさに応じて照明部の発光する輝度を変更することができるようになる。
【００７８】
また、前記発光部は、測定された前記照度が所定値以上の場合には発光を抑止することとしてもよい。これにより、例えば周囲がある程度明るい場合には照明部を発光させずに、無駄なエネルギーの消費を抑制することができる。
【００７９】
また、前記発光部は、昼間である所定時間帯には発光を抑止することとしてもよい。これにより、昼間に照明部を発光させずに、無駄なエネルギーの消費を抑制することができる。
【００８０】
また、前記照明装置は更に、天気を検知する検知部を有し、前記発光部は、前記検知部により検知された天気の種別毎に予め定められた色で発光することとしてもよい。これにより、例えばバルーンを天気に応じて人が最も視認し易い色にすることができる。
【００８１】
また、前記受信部は、無線通信により前記津波情報を受信することとしてもよい。これにより、受信部は無線で送信される津波情報を取得することができるようになる。
【００８２】
また、前記受信部は、前記津波情報を受信したことを前記制御部に無線通信により伝達することとしてもよい。これにより、受信部と制御部との間を有線接続しなくてもよいため、受信部の設置場所の自由度が高まる。
【００８３】
また、前記照明部は、無線通信を中継する通信部を有することとしてもよい。これにより、津波の到来が予測された際に上昇した照明部が、携帯電話通信等の無線通信を中継することができるようになる。
【００８４】
また、前記照明装置は更に、操作を受け付ける操作部を有し、前記制御部は、前記操作部により操作が受け付けられた場合にも前記照明部を上昇させることとしてもよい。これにより、津波情報が受信されない通常時において津波からの避難訓練を行う場合にも手動操作により照明部の上昇が行えるようになる。
【００８５】
また、前記制御部は、前記受信部により前記津波情報が受信された場合において所定条件が満たされたときに限って前記照明部を上昇させることとしてもよい。これにより、所定条件を適切に設定しておくことで、津波情報が送信されたが、照明装置を設置している津波避難ビルが閉鎖されている等といった場合に、照明部の上昇を抑止することが可能となる。
【００８６】
なお、本発明の包括的又は具体的な各種態様には、装置、システム、方法、集積回路、コンピュータプログラム、コンピュータで読み取り可能な記録媒体等の１つ又は複数の組合せが含まれる。
【００８７】
（他の装置の参考例）
防災システム１は、上述した照明装置１００の他に、例えば図１に示した照明器具８００及び照明機器９００ａ〜９００ｄを備えることとしてもよい。
【００８８】
以下、まず照明器具８００について説明し、次に照明機器９００ａ〜９００ｄについて説明する。
【００８９】
照明器具８００は、例えば図１に示すように家屋８９１に設置された門柱の一部に装着（埋設）されている。
【００９０】
図６は、照明器具８００の外観図であり、図７では（ａ）に正面から見える概観、（ｂ）に側面から見える概観を示している。これらの図に示すように、照明器具８００は、門柱等の設備に固定される固定部から分離される光源部８１０を有し、固定部には錠８２１、操作部８２２、接続端子８２３が含まれる。
【００９１】
この照明器具８００の光源部８１０は、通常時において接続端子８２３を介して固定部側から電力の供給を受けて内部の蓄電池を充電し、地震の発生や他の原因により停電が生じた際や固定部から分離された際にも蓄電池の電力で点灯する。光源部８１０は通常時においては、人が操作部８２２を操作して錠８２１を解錠することで夜間の散歩等の外出時に携帯して利用できる。また、地震の発生等の災害時においては錠８２１が自動的に解錠し、人が迅速に光源部８１０を分離して携帯できるようになっている。
【００９２】
図８は、照明器具８００の機能ブロック図である。
【００９３】
照明器具８００は同図に示すように、光源部８１０、固定部８２０及び検知部８３０を備える。
【００９４】
光源部８１０は、携帯用の把手部８１１、ＬＥＤ８１２、蓄電池８１３、接続端子８１４、スイッチ８１５及び制御回路８１６を有する。人は携帯時には把手部８１１をＬＥＤ８１２よりも上側にして吊り下げ、所謂ランタンとして、用いることができる。接続端子８１４は、光源部８１０が固定部８２０に係合している場合において固定部８２０の接続端子８２３と接触することで電気的に接続し、電力の供給を受ける端子である。制御回路８１６は、外部からの電力を蓄電池８１３に充電しつつそれを利用してＬＥＤ８１２を点灯し、また、外部から電力が供給されないときに蓄電池８１３が放電する電力で動作しＬＥＤ８１２を点灯する。スイッチ８１５はＬＥＤ８１２の点灯と消灯を切り替えるためのオンオフ（ＯＮ／ＯＦＦ）スイッチである。なお、光源部８１０にスマートフォン等の外部機器を接続するための端子を設けて、この端子を介して蓄電池８１３の電力を外部機器に供給するようにしてもよく、逆に、充電器を接続するための端子を設けて充電器で蓄電池８１３を充電できるようにしてもよい。また、光源部８１０が固定部８２０から電磁誘導方式等の既知の非接触電力伝送技術により電力の供給を受けるように結合されていれば、双方を接触させるための接続端子は必ずしも必要でない。
【００９５】
固定部８２０は、錠８２１、操作部８２２、接続端子８２３及び錠制御部８２４を有する。錠８２１は、施錠状態では光源部８１０が固定部８２０から一定距離以上に離れないよう光源部８１０を係合する、つまり把手部８１１を係止する機構である。例えば、把手部８１１が構成するリングに、錠８２１を構成する棒状部材を挿入して抜けなくすることで、光源部８１０は錠８２１に繋ぎ止められて固定部８２０から離れなくなる。錠８２１が解錠状態にある場合には、光源部８１０は自由に移動可能となる。操作部８２２は、複数のボタンを有し、ボタンが操作された場合に錠制御部８２４に通知する機能を有する。錠制御部８２４は、錠８２１の状態を施錠状態及び解錠状態の間で切り替える機構とこれを制御する制御回路とから構成され、操作部８２２が所定のボタン操作を受けた場合に錠８２１を解錠状態にする機能を有する。所定のボタン操作としては、例えば操作部８２２のボタン群が０〜９の数字が記されたボタンであれば、人が複数桁の暗証番号を入力する操作等が挙げられる。
【００９６】
検知部８３０は、例えば地震の発生、津波の到来、停電の発生等の非常事態を検知して錠制御部８２４に通知する機能を有する回路であり、例えば津波情報の受信回路等で実現される。なお、錠制御部８２４は、検知部８３０からの非常事態の検知が通知された場合において錠８２１を自動的に解錠状態にする機能も有する。
【００９７】
このように照明器具８００は、通常時は光源部８１０の盗難を防止すべく人による所定のボタン操作を受けた場合にのみ解錠して人が光源部８１０を携帯できるようにし、非常事態の発生時には自動的に解錠し人が光源部８１０を迅速に携帯できるようにする。従って、夜間に非常事態が生じた場合に人が迅速に避難することに有用となる。なお、光源部８１０を携帯して避難した人は、明るい避難場所等に到着したときにスイッチ８１５をオフにして消灯することができる。
【００９８】
上述した照明器具８００に代表される照明器具を整理すると次のようになる。
【００９９】
即ち、このような照明器具は、錠を含み設備に固定される固定部と、光源部と、非常事態を検知する検知部とを備え、前記錠は、施錠状態において前記光源部が前記固定部から一定距離以上に離れないよう当該光源部を係合し、所定操作を受けた場合、及び、前記検知部による前記検知がなされた場合において、施錠状態から解錠状態に変化する照明器具である。
【０１００】
ここで、前記錠は、ボタン式の錠であり、所定のボタン操作を受けた場合に解錠状態に変化することとしてもよい。
【０１０１】
また、前記光源部は蓄電池を有し、前記固定部に係合されている場合において、当該固定部を介して電力の供給を受けると当該蓄電池への充電及び発光を行い、当該固定部から分離した場合において、当該蓄電池の電力により発光を行うこととしてもよい。
【０１０２】
また、前記光源部は、携帯用の把手を有し、前記錠は、施錠状態において前記把手を係止し、前記光源部は、前記錠が解錠状態の場合においてユーザが前記固定部から分離して携帯可能であることとしてもよい。
【０１０３】
次に、照明装置９００ａ〜９００ｄについて説明する。
【０１０４】
照明機器９００ａ〜９００ｄは、災害対策（停電対策）となる機器であり、例えば図１に示すように、電線９０１に接続された街路灯等の街灯９９１〜９９９のうちの一部（例えば１つおき）の街灯と同じ電柱に設置され、停電時において周囲を照らす機器である。既存の街灯の全てに停電対策として照明機器９００ａ等を設置するには多大なコストを要するため、一部にのみ設置されることが想定される。図１では地震の発生に伴って送電施設や電柱の倒壊等により停電が発生した場合の例を示しており、照明機器９００ａ等が併設されている街灯は、発光を継続している。以下、照明機器９００ａについて説明するが、他の照明機器９００ｂ〜９００ｄも同じ構成を有する。
【０１０５】
図１０は、照明機器９００ａの概略図である。
【０１０６】
照明機器９００ａは、同図に示すように電柱において街灯９９２に併設され、電力系統からの電力を伝送する電線９０１に接続されており、停電時に発光するためのＬＥＤを含む光源部９４０を有する。ここで、街灯９９２は、蛍光灯である。
【０１０７】
この照明機器９００ａは、通常時において電線９０１から電力の供給を受けてそのまま街灯９９２に伝達するとともに内部の蓄電池を充電し、停電時には蓄電池から街灯９９２に電力を供給するとともに光源部９４０を発光させる機器である。特に、光源部９４０は、広範囲を照射する照明として機能し、街灯９９２の配光範囲とは異なる範囲を照らすように設定されることで、停電時に街灯９９２による照明では不足する明かりを供給する。特に街灯９９２の周囲の街灯が停電により消灯している場合において、街灯９９２の配光範囲以外を光源部９４０が照らすことは有用となる。なお、光源部９４０は、ＬＥＤから照射される光の配光が変更自在となるように構成されている。この配光を変更自在とする構成の例としては、例えば光源部の支持部材として自在継手（ユニバーサルジョイント）を用いること等が挙げられる。照明機器９００ａの電柱への設置時において、光源部９４０（ＬＥＤ）が周囲を適切に照らすよう配光が調整される。この調整は、運用時において少なくとも照明機器９００ａの光源部９４０が照射する光が、街灯９９２の配光角に包含されない範囲に及ぶようになされる。
【０１０８】
図１１は、照明機器９００ａの機能ブロック図である。
【０１０９】
照明機器９００ａは同図に示すように、検知部９１０、電源部９２０、照度センサ９３０、スイッチ９２５及び光源部９４０を備える。
【０１１０】
検知部９１０は、停電検出回路であり、停電つまり電線９０１から常時供給される交流電力が途絶えることを検知する機能を有する。
【０１１１】
電源部９２０は、ＡＣ−ＤＣ変換器９２１、蓄電池９２２、ＤＣ−ＡＣ変換器９２３及びスイッチ９２４を有する。この電源部９２０は、電線９０１から供給される交流電力を受けて、街灯９９２及び光源部９４０の電源として機能する。即ち、電源部９２０は、非停電時において電線９０１からの交流電力をＡＣ−ＤＣ変換器９２１を介して蓄電池９２２に充電する。そして、停電時において蓄電池９２２からの電力を光源部９４０のＬＥＤに供給するとともにＤＣ−ＡＣ変換器９２３を介して交流電力を街灯９２２に供給する。スイッチ９２４は、検知部９１０が停電を検知しているときにはＤＣ−ＡＣ変換器９２３の出力を街灯９２２と電気的に接続し、それ以外のときには電線９０１を街灯９２２と電気的に接続するように機能する。
【０１１２】
光源部９４０は、ＬＥＤとその点灯回路を含み、スイッチ９２５により一定条件下で直流電力を受け、ＬＥＤを点灯することで、発光する機能を有する。
【０１１３】
照度センサ９３０は、照度（明るさ）を測定して照度が所定値以下であればスイッチ９２５に制御信号を伝達するセンサである。スイッチ９２５は、検知部９１０が停電を検知している場合において照度センサ９３０から制御信号が伝達されているときには、蓄電池９２２と光源部９４０のＬＥＤとを電気的に接続し、それ以外の場合には切断するように機能する。この照度センサ９３０の働きにより、光源部９４０のＬＥＤは、停電時において概ね昼間ではなく夜間に点灯するようになる。なお、照度センサ９３０の代わりに計時部（時計）を設けて、光源部９４０のＬＥＤの発光時間を昼間である所定時間帯に制限することとしてもよい。
【０１１４】
また、蓄電池（二次電池）９２２の代わりに、一次電池や発電機等を、街灯及びＬＥＤの停電時用の電源として用いることとしてもよい。また、照明機器９００ａは、街灯９９２と同じ電柱に設置されることとしたが、街灯がアンカーボルト等で壁の高所に固定されている等、壁に設置されている場合には、街灯と同じ壁に設置されることとしてもよい。また、照明機器９００ａは、部品を集積した単一物として形成されていてもよい。
【０１１５】
このように照明機器９００ａ〜９００ｄのような照明機器は、全ての街灯に併設されなくても、停電時において併設された街灯を点灯させるとともに、その街灯以外の場所もＬＥＤにより照らすため、コストを抑えて災害対策（停電対策）を施すために有用となる。
【０１１６】
上述した照明機器９００ａ等に代表される照明機器を整理すると次のようになる。
【０１１７】
即ち、このような照明機器は、街灯に併設される照明機器であって、停電を検知する検知部と、停電時に前記街灯に電力を供給する電源部と、一定条件下で前記電源部からの電力により発光する光源部とを備える照明機器である。
【０１１８】
ここで、前記光源部が照射する光が前記街灯の配光角に包含されない範囲に及ぶよう当該光源部の配光が調整されていることとしてもよい。
【０１１９】
また、前記照明機器は更に照度センサを有し、前記光源部は、停電時に前記照度が所定値以下であれば前記発光を行うこととしてもよい。
【０１２０】
また、前記光源部は、停電時に夜間である所定時間帯において前記発光を行うこととしてもよい。
【０１２１】
また、前記照明機器は、前記街灯が設置されている柱又は壁に設置されていることとしてもよい。
【０１２２】
また、前記光源部は、配光を変更自在となるように構成されていることとしてもよい。
【０１２３】
また、前記街灯は、蛍光灯であり、前記光源部は、ＬＥＤを含み、前記電源部は、街灯に交流電力を供給し、前記光源部に直流電力を供給することとしてもよい。
【０１２４】
また、前記電源部は、ＡＣ−ＤＣ変換器、ＤＣ−ＡＣ変換器及び蓄電池を有し、非停電時に電力系統からの電力を当該ＡＣ−ＤＣ変換器を介して当該蓄電池に蓄電し、停電時において当該蓄電池から電力を前記ＬＥＤに供給するとともに当該蓄電池からＤＣ−ＡＣ変換器を介して得られる電力を前記街灯に供給することとしてもよい。
【符号の説明】
【０１２５】
１００  照明装置
１１０  照明部
１１１  バルーン
１１２  発光部
１２０  制御部
１２１  ロープ
１３０  ガス充填部
１４０  固定部（リール）
１５０  電源部
１６０  受信部
１７０  照度センサ
１８１  操作部
【図１】
2015176373.tif 000003
【図２】
2015176373.tif 000004
【図３】
2015176373.tif 000005
【図４】
2015176373.tif 000006
【図５】
2015176373.tif 000007
【図６】
2015176373.tif 000008
【図７】
2015176373.tif 000009
【図８】
2015176373.tif 000010
【図９】
2015176373.tif 000011
【図１０】
2015176373.tif 000012
【図１１】
2015176373.tif 000013